(57)【特許請求の範囲】
【請求項１】
スプロケットに巻き掛けられたチェーンを取り替えるために用いられるマンコンベアのチェーン取替え用治具において、
前記チェーン取替え用治具は、その上半部が前記チェーンに装着される部分であり、上部の左右両側壁と、前記左右両側壁をその下端部で連結する底面壁とを有する断面Ｕ字状を呈しており、前記左右両側壁の少なくとも一方の側壁の上端部でかつ前記チェーンへの挿入側となる先端には、内方に向かって延在して、前記チェーンに挿入して装着された状態で前記チェーンの少なくとも一側上端部を係止する係止用上面壁を有し、この係止用上面壁と他方の側壁の上端部との間はチェーン挿入用の開口部として開放されており、
一方、前記チェーン取替え用治具の下半部がスプロケットにガイドされる部分であり、前記上半部の底面壁の下面から所定の間隔を置いて下方に延在し、前記スプロケットを両側から挟む下部の左右両側壁を有することを特徴とするマンコンベアのチェーン取替え用治具。
【請求項２】
スプロケットに巻き掛けられたチェーンを取り替えるために用いられるマンコンベアのチェーン取替え用治具において、
前記チェーン取替え用治具は、その上半部が前記チェーンに装着される部分であり、上部の左右両側壁と、前記左右両側壁をその下端部で連結する底面壁とを有する断面Ｕ字状を呈しており、前記左右両側壁の上端部でかつ前記チェーンへの挿入側となる先端には、内方に向かって延在して、前記チェーンに挿入して装着された状態で前記チェーンの両側上端部を係止する一対の係止用上面壁を有し、一対の係止用上面壁の間はチェーン挿入用の開口部として開放されており、
一方、前記チェーン取替え用治具の下半部がスプロケットにガイドされる部分であり、前記上半部の底面壁の下面から所定の間隔を置いて下方に延在し、前記スプロケットを両側から挟む下部の左右両側壁を有することを特徴とするマンコンベアのチェーン取替え用治具。
【請求項３】
一対の係止用上面壁を左右両側壁の先端の上端部に互いにずらせて配置したことを特徴とする請求項２記載のマンコンベアのチェーン取替え用治具。
【請求項４】
チェーン取替え用治具は、樹脂材料により一体成形されていることを特徴とする請求項１〜請求項３のいずれかに記載のマンコンベアのチェーン取替え用治具。
【請求項５】
チェーン取替え用治具は樹脂材料により一体成形され、一対の係止用上面壁間の間隔は、チェーンの幅間隔よりも狭く構成されており、チェーンへの装着時には手等で左右に押し開かれて装着されることを特徴とする請求項２又は請求項３記載のマンコンベアのチェーン取替え用治具。
【請求項６】
スプロケットに巻き掛けられたチェーンを取り替えるために用いられるマンコンベアのチェーン取替え用治具において、
前記チェーン取替え用治具本体は、その上半部が前記チェーンに装着される部分であり、上部の左右両側壁と、前記左右両側壁をその下端部で連結する底面壁とを有する断面Ｕ字状を呈しており、前記左右両側壁の少なくとも一方の側壁の上端部でかつ前記チェーンへの挿入側となる先端には、上方に突出するキャップ係止部を有しており、
一方、前記チェーン取替え用治具本体の下半部がスプロケットにガイドされる部分であり、前記上半部の底面壁の下面から所定の間隔を置いて下方に延在し、前記スプロケットを両側から挟む下部の左右両側壁を有しており、
前記チェーン取替え用治具本体とは別体に設けられ、前記左右両側壁の前記チェーンへの挿入側となる先端から前記キャップ係止部に嵌め込まれる締結キャップを有することを特徴とするマンコンベアのチェーン取替え用治具。
【請求項７】
チェーン取替え用治具は、その先端部下面に面取りを形成したことを特徴とする請求項１〜請求項６のいずれかに記載のマンコンベアのチェーン取替え用治具。
【請求項８】
スプロケットに巻き掛けられたチェーンを取り替えるために用いられるマンコンベアのチェーン取替え用治具は、その上半部が前記チェーンに装着される部分であり、上部の左右両側壁と、前記左右両側壁をその下端部で連結する底面壁とを有する断面Ｕ字状を呈しており、前記左右両側壁の少なくとも一方の側壁の上端部でかつ前記チェーンへの挿入側となる先端には、内方に向かって延在して、前記チェーンに挿入して装着された状態で前記チェーンの一側上端部を係止する係止用上面壁を有し、この係止用上面壁と他方の側壁の上端部との間はチェーン挿入用の開口部として開放されており、
一方、前記チェーン取替え用治具の下半部がスプロケットにガイドされる部分であり、前記上半部の底面壁の下面から所定の間隔を置いて下方に延在し、前記スプロケットを両側から挟む下部の左右両側壁を有しており、
前記チェーン取替え用治具を前記チェーンに装着する時、チェーン取替え用治具の上半部のチェーンへの挿入側となる先端を傾斜させて、チェーン挿入用の開口部からチェーンを挿入するステップと、その後チェーン取替え用治具を半回転させることにより、チェーン取替え用治具の上半部のチェーンへの挿入側となる先端をチェーンに装着するステップとを備えたことを特徴とするマンコンベアのチェーン取替え方法。
【請求項９】
スプロケットに巻き掛けられたチェーンを取り替えるために用いられるマンコンベアのチェーン取替え用治具は、その上半部が前記チェーンに装着される部分であり、上部の左右両側壁と、前記左右両側壁をその下端部で連結する底面壁とを有する断面Ｕ字状を呈しており、前記左右両側壁の上端部でかつ前記チェーンへの挿入側となる先端には、内方に向かって延在して、前記チェーンに挿入して装着された状態で前記チェーンの両側上端部を係止する一対の係止用上面壁を有し、一対の係止用上面壁の間はチェーン挿入用の開口部として開放されており、
一方、前記チェーン取替え用治具の下半部がスプロケットにガイドされる部分であり、前記上半部の底面壁の下面から所定の間隔を置いて下方に延在し、前記スプロケットを両側から挟む下部の左右両側壁を有しており、
前記チェーン取替え用治具を前記チェーンに装着する時、チェーン取替え用治具の上半部のチェーンへの挿入側となる先端を手等で左右に押し開いて、押し開かれたチェーン挿入用の開口部からチェーンを挿入するステップと、その後チェーン取替え用治具の上半部の先端の押し開き状態を元に復帰させることにより、チェーン取替え用治具の上半部の先端をチェーンに装着するステップとを備えたことを特徴とするマンコンベアのチェーン取替え方法。
【請求項１０】
スプロケットに巻き掛けられたチェーンを取り替えるために用いられるマンコンベアのチェーン取替え用治具本体は、その上半部が前記チェーンに装着される部分であり、上部の左右両側壁と、前記左右両側壁をその下端部で連結する底面壁とを有する断面Ｕ字状を呈しており、前記左右両側壁の少なくとも一方の側壁の上端部でかつ前記チェーンへの挿入側となる先端には、上方に突出するキャップ係止部を有しており、
一方、前記チェーン取替え用治具本体の下半部がスプロケットにガイドされる部分であり、前記上半部の底面壁の下面から所定の間隔を置いて下方に延在し、前記スプロケットを両側から挟む下部の左右両側壁を有しており、
前記チェーン取替え用治具本体とは別体に設けられ、前記左右両側壁の前記チェーンへの挿入側となる先端から前記キャップ係止部に嵌め込まれる締結キャップを有しており、
前記チェーン取替え用治具本体を前記チェーンに装着する時、チェーン取替え用治具本体の上半部のチェーンへの挿入側となる先端にチェーンを挿入するステップと、その後チェーン取替え用治具本体のチェーンへの挿入側となる先端からキャップ係止部に締結キャップを嵌め込むことにより、チェーン取替え用治具本体の先端をチェーンに装着するステップとを備えたことを特徴とするマンコンベアのチェーン取替え方法。
【発明の詳細な説明】
【技術分野】
【０００１】
この発明は、エスカレータ等のマンコンベア用移動手摺の駆動装置として用いられるスプロケットに巻き掛けられたチェーンを取り替えるためのマンコンベアのチェーン取替え用治具及びそれを用いたチェーン取替え方法に関するものである。
【背景技術】
【０００２】
従来のマンコンベア用移動手摺の駆動装置は、スプロケットとこれに巻き掛けられたチェーンとの組み合わせによる構成であり、チェーンのみを交換する場合、スプロケットを回転させながら、旧チェーンを外し、新チェーンを取り付けていた（例えば、特許文献１参照）。
図１０は一般的なマンコンベア用移動手摺の駆動装置を示す。駆動装置２１は、マンコンベア本体を全体的に駆動させる駆動装置であって、メインチェーン２２を駆動させる。メインチェーン２２は、メインスプロケット２３に噛み合い、メインスプロケット２３を回転駆動させる。第１のスプロケット１８は、メインスプロケット２３と同軸構造で一体に回転し、スプロケット１８に噛み合うことによって、チェーン５は駆動される。一方、第２のスプロケット２４ａは、チェーン５と噛み合うことによって回転駆動され、第２のスプロケット２４ａと噛み合うことによって、チェーン２６が駆動される。そして、チェーン２６の駆動によって、ナイロン製ローラ２７が回転駆動される。また、マンコンベアの移動手摺２８は、ローラ２７の外周に当接するように駆動される。また、チェーン５は、チェーン連結部２９によって連結されている。
そして、駆動装置２１を駆動させることによって、メインチェーン２２が駆動し、これによりメインスプロケット２３が回転駆動して、この回転駆動に連動して第１のスプロケット１８が回転駆動する。この第１のスプロケット１８の回転駆動により、チェーン５が駆動し、第２のスプロケット２４ａが回転駆動し、チェーン２６が駆動して、ローラ２７が回転し、これによって移動手摺２８が駆動する。
【０００３】
次に、マンコンベアのチェーン５を取り替える作業について説明する。
チェーン取替え用治具１００は、図１１に示すように、断面コ字状の上板１１と下板１２とが背面で接合されている。この治具１００は、上板１１の先端１１ａが下板１２の先端１２ａより所定距離Ｄ分だけ突き出すように接合され、上板１１と下板１２には、その重合時に、その各中心線に沿って同位置に複数の長穴１３が形成されている。この長穴１３を介して上板１１と下板１２とをワイヤによって連結させることによって、上板１１と下板１２とが背面で接合される。
【０００４】
この治具１００を用いたチェーン５の取り替え作業について、図１２〜図１５により説明する。
チェーン取り替え作業は、旧チェーン５と新チェーン５０とを入れ替える作業員Ｐ１、Ｐ２との２名で行われる。
マンコンベアの移動手摺２８を駆動させるチェーン５を取り替える場合、駆動装置２１を停止させ、マンコンベア乗降口のマンホールを開けて、図１０に示すメインチェーン２２及びメインスプロケット２３を動かすことによって、マンコンベアを手動で下降移動させ、連結部２９の位置に対応したマンコンベアの踏段を、連結部２９を中心に上下３段ずつ計６段分外す（Ｓ２０２）。次に、チェーン５の張力を最大限に弛め、径の小さい第２のスプロケット２４ａの歯からチェーン５を外す（Ｓ２０４）。その後、図１２に示すように、治具１００を第１のスプロケット１８の上部に取り付けて差し込む（Ｓ２０６）。その際、治具１００が、第１のスプロケット１８とチェーン５との間に挿入されることによって、治具１００の下板１２の下面は、第１のスプロケット１８の歯部６に接触し、歯部６を両側から挟み込むように装着され、下板１２は、チェーン５を上方に持ち上げ、歯部６に対するチェーン５の噛み合い状態を解除しながら移動し、第１のスプロケット１８の外周に沿って湾曲しながら、図１３のように進む。
次いで、チェーン５を移動させ、連結部２９を作業員Ｐ１、Ｐ２の位置まで移動させた後、連結部２９からチェーン５の一端を取外し、図１４に示す矢印方向にチェーン５を回収するとともに、新規のチェーン５０を連結部２９に接続し、新チェーン５０を矢印方向に移動させ、旧チェーン５を新チェーン５０に取り替える（Ｓ２０８）。
図１３に示すように、治具１００が第１のスプロケット１８の円周の約１／４〜１／３まで進むと、それから先は、チェーン５の自重により第１のスプロケット１８との噛み合い状態が外れる。これにより、チェーン５は、第１のスプロケット１８の歯部６から完全に分離し、チェーン５単体で自在かつ迅速に移動させることができる。
そして、新規のチェーン５０を第２のスプロケット２４ａの軸に回し、連結部２９から古いチェーン５の他端を取外して新規のチェーン５０の他端を接続して、新規のチェーン５０の連結を完了させる（Ｓ２１０）。
【０００５】
【特許文献１】特開２００２−３９３０１号公報
【発明の開示】
【発明が解決しようとする課題】
【０００６】
従来のマンコンベアのチェーン取替え用治具では、チェーン５がコ字状の上板１１に載せられているだけであるので、治具１００の先端が、チェーン５と第１のスプロケット１８の間に挿入される直前まで、治具の先端を手でガイドしてやらないと、図１６に示すように、治具先端が下方に垂れてお辞儀をしてしまい、第１のスプロケット１８の歯部６に引っ掛ることになる。この場合、作業者が第１のスプロケット１８に手が届かない時は、非常に作業がしにくくなるという問題がある。
【０００７】
この発明は、上述のような課題を解決するためになされたもので、チェーンに簡単に取り付けることができ、しかも治具の先端がチェーンをガイドとしてスプロケットの歯に引っ掛らずに挿入できる構造としたマンコンベアのチェーン取替え用治具及びそれを用いたチェーン取替え方法を提供するものである。  
【課題を解決するための手段】
【０００８】
この発明に係るマンコンベアのチェーン取替え用治具においては、スプロケットに巻き掛けられたチェーンを取り替えるために用いられるものにおいて、チェーン取替え用治具は、その上半部がチェーンに装着される部分であり、上部の左右両側壁と、左右両側壁をその下端部で連結する底面壁とを有する断面Ｕ字状を呈しており、左右両側壁の少なくとも一方の側壁の上端部でかつチェーンへの挿入側となる先端には、内方に向かって延在して、チェーンに挿入して装着された状態でチェーンの少なくとも一側上端部を係止する係止用上面壁を有し、この係止用上面壁と他方の側壁の上端部との間はチェーン挿入用の開口部として開放されており、一方、チェーン取替え用治具の下半部がスプロケットにガイドされる部分であり、上半部の底面壁の下面から所定の間隔を置いて下方に延在し、スプロケットを両側から挟む下部の左右両側壁を有するものである。
【０００９】
また、スプロケットに巻き掛けられたチェーンを取り替えるために用いられるものにおいて、チェーン取替え用治具は、その上半部がチェーンに装着される部分であり、上部の左右両側壁と、左右両側壁をその下端部で連結する底面壁とを有する断面Ｕ字状を呈しており、左右両側壁の上端部でかつチェーンへの挿入側となる先端には、内方に向かって延在して、チェーンに挿入して装着された状態でチェーンの両側上端部を係止する一対の係止用上面壁を有し、一対の係止用上面壁の間はチェーン挿入用の開口部として開放されており、一方、チェーン取替え用治具の下半部がスプロケットにガイドされる部分であり、上半部の底面壁の下面から所定の間隔を置いて下方に延在し、スプロケットを両側から挟む下部の左右両側壁を有するものである。
【００１０】
また、チェーン取替え用治具は樹脂材料により一体成形され、一対の係止用上面壁間の間隔は、チェーンの幅間隔よりも狭く構成されており、チェーンへの装着時には手等で左右に押し開かれて装着されるものである。
【００１１】
また、スプロケットに巻き掛けられたチェーンを取り替えるために用いられるものにおいて、チェーン取替え用治具本体は、その上半部がチェーンに装着される部分であり、上部の左右両側壁と、左右両側壁をその下端部で連結する底面壁とを有する断面Ｕ字状を呈しており、左右両側壁の少なくとも一方の側壁の上端部でかつチェーンへの挿入側となる先端には、上方に突出するキャップ係止部を有しており、一方、チェーン取替え用治具本体の下半部がスプロケットにガイドされる部分であり、上半部の底面壁の下面から所定の間隔を置いて下方に延在し、スプロケットを両側から挟む下部の左右両側壁を有しており、チェーン取替え用治具本体とは別体に設けられ、左右両側壁のチェーンへの挿入側となる先端からキャップ係止部に嵌め込まれる締結キャップを有するものである。
【００１２】
また、この発明に係るマンコンベアのチェーン取替え方法においては、スプロケットに巻き掛けられたチェーンを取り替えるために用いられるマンコンベアのチェーン取替え用治具は、その上半部がチェーンに装着される部分であり、上部の左右両側壁と、左右両側壁をその下端部で連結する底面壁とを有する断面Ｕ字状を呈しており、左右両側壁の少なくとも一方の側壁の上端部でかつチェーンへの挿入側となる先端には、内方に向かって延在して、チェーンに挿入して装着された状態でチェーンの一側上端部を係止する係止用上面壁を有しており、一方、チェーン取替え用治具の下半部がスプロケットにガイドされる部分であり、上半部の底面壁の下面から所定の間隔を置いて下方に延在し、スプロケットを両側から挟む下部の左右両側壁を有し、この係止用上面壁と他方の側壁の上端部との間はチェーン挿入用の開口部として開放されており、チェーン取替え用治具をチェーンに装着する時、チェーン取替え用治具の上半部のチェーンへの挿入側となる先端を傾斜させて、チェーン挿入用の開口部からチェーンを挿入するステップと、その後チェーン取替え用治具を半回転させることにより、チェーン取替え用治具の上半部のチェーンへの挿入側となる先端をチェーンに装着するステップとを備えたものである。
【００１３】
また、スプロケットに巻き掛けられたチェーンを取り替えるために用いられるマンコンベアのチェーン取替え用治具は、その上半部がチェーンに装着される部分であり、上部の左右両側壁と、左右両側壁をその下端部で連結する底面壁とを有する断面Ｕ字状を呈しており、左右両側壁の上端部でかつチェーンへの挿入側となる先端には、内方に向かって延在して、チェーンに挿入して装着された状態でチェーンの両側上端部を係止する一対の係止用上面壁を有し、一対の係止用上面壁の間はチェーン挿入用の開口部として開放されており、一方、チェーン取替え用治具の下半部がスプロケットにガイドされる部分であり、上半部の底面壁の下面から所定の間隔を置いて下方に延在し、スプロケットを両側から挟む下部の左右両側壁を有しており、チェーン取替え用治具をチェーンに装着する時、チェーン取替え用治具の上半部のチェーンへの挿入側となる先端を手等で左右に押し開いて、押し開かれたチェーン挿入用の開口部からチェーンを挿入するステップと、その後チェーン取替え用治具の上半部の先端の押し開き状態を元に復帰させることにより、チェーン取替え用治具の上半部の先端をチェーンに装着するステップとを備えたものである。
【００１４】
また、スプロケットに巻き掛けられたチェーンを取り替えるために用いられるマンコンベアのチェーン取替え用治具本体は、その上半部がチェーンに装着される部分であり、上部の左右両側壁と、左右両側壁をその下端部で連結する底面壁とを有する断面Ｕ字状を呈しており、左右両側壁の少なくとも一方の側壁の上端部でかつチェーンへの挿入側となる先端には、上方に突出するキャップ係止部を有しており、一方、チェーン取替え用治具本体の下半部がスプロケットにガイドされる部分であり、上半部の底面壁の下面から所定の間隔を置いて下方に延在し、スプロケットを両側から挟む下部の左右両側壁を有しており、チェーン取替え用治具本体とは別体に設けられ、左右両側壁のチェーンへの挿入側となる先端からキャップ係止部に嵌め込まれる締結キャップを有しており、チェーン取替え用治具本体をチェーンに装着する時、チェーン取替え用治具本体の上半部のチェーンへの挿入側となる先端にチェーンを挿入するステップと、その後チェーン取替え用治具本体のチェーンへの挿入側となる先端からキャップ係止部に締結キャップを嵌め込むことにより、チェーン取替え用治具本体の先端をチェーンに装着するステップとを備えたものである。
【発明の効果】
【００１５】
この発明によれば、チェーン取替え用治具は、その上半部がチェーンに装着される部分であり、上部の左右両側壁と、左右両側壁をその下端部で連結する底面壁とを有する断面Ｕ字状を呈しており、左右両側壁の少なくとも一方の側壁の上端部でかつチェーンへの挿入側となる先端には、内方に向かって延在して、チェーンに挿入して装着された状態でチェーンの少なくとも一側上端部を係止する係止用上面壁を有し、この係止用上面壁と他方の側壁の上端部との間はチェーン挿入用の開口部として開放されており、一方、チェーン取替え用治具の下半部がスプロケットにガイドされる部分であり、上半部の底面壁の下面から所定の間隔を置いて下方に延在し、スプロケットを両側から挟む下部の左右両側壁を有するので、チェーン取替え用治具は外れることがなく、治具の挿入側先端が下方に垂れてお辞儀することがない。したがって、治具の挿入側先端を、チェーンとスプロケットの間に挿入される直前まで手でガイドする必要がない。
【発明を実施するための最良の形態】
【００１６】
実施の形態１．
図１はこの発明の実施の形態１におけるマンコンベアのチェーン取替え用治具を示す斜視図、図２はこの発明の実施の形態１におけるマンコンベアのチェーン取替え用治具を用いたチェーン取り替え方法を示す要部側面図、図３はチェーン取替え用治具をチェーンに取り付ける方法を示す図２のＡ−Ａ線に沿った断面図である。
【００１７】
この発明の実施の形態１におけるエスカレータ等のマンコンベア用チェーンの取替え装置は、チェーン取替え用治具の構造を除き、図１０、及び図１３〜図１５に示す従来の構造と同様である。
この実施の形態１におけるチェーン取替え用治具１０は、例えばポリプロピレン等の樹脂材料により、図１に示すような形状に一体成形されている。チェーン取替え用治具１０の上半部は、チェーン５に装着される部分であり、上部の左右両側壁１０ａ、１０ｂと、この両側壁をその下端部で連結する底面壁１０ｃとを有する断面Ｕ字状を呈している。この上半部の先端は、一方の側壁１０ａの上端部が更に上方に延長し、その延長端部が内方に向かって略中程まで直角に延在して係止用上面壁１０ｄを形成している。しかし、他方の側壁１０ｂの上端部は上方に延長されず、チェーン５の挿入用の開口部として開放されているものである。また、チェーン取替え用治具１０の下半部は、第１のスプロケット１８の歯部６にガイドされる部分であり、上半部の底面壁１０ｃの下面から所定の間隔を置いて下方に延在し、スプロケット１８を両側から挟む下部の左右両側壁１０ｅ、１０ｅが形成されている。
【００１８】
次に、この実施の形態１におけるチェーン取替え用治具１０を用いたチェーンの取り替え作業について説明する。
先ず、チェーン取替え用治具１０を取り替えるべき旧チェーン５に装着する場合は、図３に示すように、チェーン取替え用治具１０の上半部の先端を傾斜させ、チェーン挿入用の開口部から旧チェーン５を挿入しながら、図３の矢印方向に半回転させることにより、チェーン取替え用治具１０の上半部の先端を旧チェーン５に装着する。この時、係止用上面壁１０ｄが旧チェーン５の一側上端部に引っ掛るので、チェーン取替え用治具１０は外れることがなく、治具先端が下方に垂れてお辞儀することがない。したがって、治具１０の先端を、チェーン５と第１のスプロケット１８の間に挿入される直前まで手でガイドする必要がないものである。
【００１９】
実施の形態２．
図４はこの発明の実施の形態２におけるマンコンベアのチェーン取替え用治具を示す斜視図、図５はチェーン取替え用治具をチェーンに取り付ける方法を示す図２のＡ−Ａ線に沿った断面図である。
【００２０】
この実施の形態２におけるチェーン取替え用治具１０は、例えばポリプロピレン等の樹脂材料により、図４に示すような形状に一体成形されている。チェーン取替え用治具１０の上半部は、チェーン５に装着される部分であり、上部の左右両側壁１０ａ、１０ｂと、この両側壁をその下端部で連結する底面壁１０ｃとを有する断面Ｕ字状を呈している。この上半部の先端は、一方の側壁１０ａの上端部が更に上方に延長し、その延長端部が内方に向かって略中程まで直角に延在して係止用上面壁１０ｄを形成している。そして、他方の側壁１０ｂの上端部は上記引っ掛り用の上面壁１０ｄの形成箇所より少しずれた後方寄りを上方に延長し、その延長端部が内方に向かって略中程まで直角に延在して係止用上面壁１０ｆを形成している。これら両引っ掛り用上面部１０ｄ、１０ｆ間の間隔はチェーン５の幅よりも大きくなっているが、チェーン５に装着される時は、図５に示すように、手等で挿入用の開口部として押し開くことができるように、チェーン取替え用治具１０の材質を、例えばポリプロピレン等の樹脂材料により変形、復元可能に構成されているものである。また、チェーン取替え用治具１０の下半部は、第１のスプロケット１８の歯部６にガイドされる部分であり、上半部の底面壁１０ｃの下面から所定の間隔を置いて下方に延在し、スプロケット１８を両側から挟む下部の左右両側壁１０ｅ、１０ｅが形成されている。
【００２１】
次に、この実施の形態２におけるチェーン取替え用治具１０を用いたチェーンの取り替え作業について説明する。
先ず、チェーン取替え用治具１０を取り替えるべき旧チェーン５に装着する場合は、図５に示すように、チェーン取替え用治具１０の上半部先端の両係止用上面壁１０ｄ、１０ｆ間の間隔を手等で押し広げ、押し開かれたチェーン挿入用の開口部から旧チェーン５を挿入し、チェーン取替え用治具１０の上半部の先端を旧チェーン５に装着する。この時、係止用上面壁１０ｄ、１０ｆが旧チェーン５の両側上端部に引っ掛るので、チェーン取替え用治具１０は外れることがなく、治具先端が下方に垂れてお辞儀することがない。したがって、治具１０の先端を、チェーン５と第１のスプロケット１８の間に挿入される直前まで手でガイドする必要がないものである。
【００２２】
実施の形態３．
図６はこの発明の実施の形態３におけるマンコンベアのチェーン取替え用治具を示す斜視図、図７はチェーン取替え用治具をチェーンに取り付ける方法を示す図２のＡ−Ａ線に沿った断面図である。
【００２３】
この実施の形態３におけるチェーン取替え用治具１０は、例えばポリプロピレン等の樹脂材料により、図６に示すような形状に一体成形されている。チェーン取替え用治具１０の本体の上半部は、チェーン５に装着される部分であり、上部の左右両側壁１０ａ、１０ｂと、この両側壁をその下端部で連結する底面壁１０ｃとを有する断面Ｕ字状を呈している。この本体の上半部の先端は、一方の側壁１０ａの上端部の前後２箇所に上方に突出するキャップ係止部１０ｇを形成している。そして、他方の側壁１０ｂの上端部の前後２箇所に上方に突出するキャップ係止部１０ｈを形成している。これら両キャップ係止部１０ｇ、１０ｈは互いに対向して設けられている。１０ｉはチェーン取替え用治具１０の本体部分とは別体に設けられた帯状の締結キャップであり、チェーン取替え用治具１０の先端の両キャップ係止部１０ｇ、１０ｈに嵌め込まれて装着されるものである。また、チェーン取替え用治具１０の本体下半部は、第１のスプロケット１８の歯部６にガイドされる部分であり、上半部の底面壁１０ｃの下面から所定の間隔を置いて下方に延在し、スプロケット１８を両側から挟む下部の左右両側壁１０ｅ、１０ｅが形成されている。
【００２４】
次に、この実施の形態３におけるチェーン取替え用治具１０を用いたチェーンの取り替え作業について説明する。
先ず、チェーン取替え用治具１０を取り替えるべき旧チェーン５に装着する場合は、図７に示すように、チェーン取替え用治具１０の本体上半部先端を上部のチェーン挿入用の開口部から旧チェーン５を挿入する。次に、チェーン取替え用治具１０の本体部分とは別体に設けられた帯状の締結キャップ１０ｉを、チェーン取替え用治具１０の本体上半部の先端の両キャップ係止部１０ｇ、１０ｈに嵌め込むことにより、チェーン取替え治具１０を旧チェーン５に装着する。この時、帯状の締結キャップ１０ｉが旧チェーン５の両側上端部に引っ掛るので、チェーン取替え用治具１０は外れることがなく、治具先端が下方に垂れてお辞儀することがない。したがって、治具１０の先端を、チェーン５と第１のスプロケット１８の間に挿入される直前まで手でガイドする必要がないものである。
【００２５】
実施の形態４．
図８はこの発明の実施の形態４におけるマンコンベアのチェーン取替え用治具を用いたチェーン取り替え方法を示す要部側面図、図９は図８のＡ部を示す拡大図である。
【００２６】
この実施の形態４におけるチェーン取替え用治具１０は、その先端部下面に面取り１０ｊを形成したものである。この面取り１０ｊは、第１のスプロケット１８とチェーン５の間にチェーン取替え用治具１０が挿入され、第１のスプロケット１８の歯部６に衝突した場合に、チェーン取替え用治具１０の先端部がチェーン５側に逃げるようにするためのすくい角として設けられるものである。
【図面の簡単な説明】
【００２７】
【図１】この発明の実施の形態１におけるマンコンベアのチェーン取替え用治具を示す斜視図である。
【図２】この発明の実施の形態１におけるマンコンベアのチェーン取替え用治具を用いたチェーン取り替え方法を示す要部側面図である。
【図３】チェーン取替え用治具をチェーンに取り付ける方法を示す図２のＡ−Ａ線に沿った断面図である。
【図４】この発明の実施の形態２におけるマンコンベアのチェーン取替え用治具を示す斜視図である。
【図５】チェーン取替え用治具をチェーンに取り付ける方法を示す図２のＡ−Ａ線に沿った断面図である。
【図６】この発明の実施の形態３におけるマンコンベアのチェーン取替え用治具を示す斜視図である。
【図７】チェーン取替え用治具をチェーンに取り付ける方法を示す図２のＡ−Ａ線に沿った断面図である。
【図８】この発明の実施の形態４におけるマンコンベアのチェーン取替え用治具を用いたチェーン取り替え方法を示す要部側面図である。
【図９】図８のＡ部を示す拡大図である。
【図１０】従来の一般的なマンコンベアの駆動装置の概要を説明する図である。
【図１１】従来のマンコンベアのチェーン取替え用治具を示す斜視図である。
【図１２】従来のチェーン取替え用治具を用いたチェーン取り替え作業の状態を示す拡大側面図である。
【図１３】従来のチェーン取替え用治具を用いたチェーン取り替え作業の状態を示す側面図である。
【図１４】従来のチェーン取り替え作業を説明する図である。
【図１５】従来のチェーン取り替え作業手順を示すフローチャートである。
【図１６】従来のチェーン取替え用治具を用いたチェーン取り替え作業の問題点を説明する拡大側面図である。
【符号の説明】
【００２８】
５  チェーン
６  スプロケットの歯部
１０  この発明のチェーン取替え用治具    
１０ａ、１０ｂ  上部の左右両側壁
１０ｃ  底面壁
１０ｄ、１０ｆ  係止用上面壁
１０ｅ  下部の左右両側壁
１０ｇ、１０ｈ  キャップ係止部
１０ｉ  帯状の締結キャップ
１０ｊ  面取り
１８  第１のスプロケット    
２１  駆動装置
２２  メインチェーン
２３  メインスプロケット
２４ａ  第２のスプロケット
２６  チェーン
２７  ローラ
２８  移動手摺
２９  連結部
１００  従来のチェーン取替え用治具    
【図１】
0004815959.tif 000002
【図２】
0004815959.tif 000003
【図３】
0004815959.tif 000004
【図４】
0004815959.tif 000005
【図５】
0004815959.tif 000006
【図６】
0004815959.tif 000007
【図７】
0004815959.tif 000008
【図８】
0004815959.tif 000009
【図９】
0004815959.tif 000010
【図１０】
0004815959.tif 000011
【図１１】
0004815959.tif 000012
【図１２】
0004815959.tif 000013
【図１３】
0004815959.tif 000014
【図１４】
0004815959.tif 000015
【図１５】
0004815959.tif 000016
【図１６】
0004815959.tif 000017